【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
トランスタイムゾーンサイトが同一のターゲットデータを変更するときに生成されるタイムスタンプと、変更されたターゲットデータとを受信するステップ（１０１）と；
前記トランスタイムゾーンサイトのそれぞれのタイムゾーンに基づいて、前記トランスタイムゾーンサイトによって前記タイムスタンプが生成される場合、セントラルサイトのタイムゾーンに基づいて、前記トランスタイムゾーンサイトによって提出された前記タイムスタンプに対してタイムゾーン変換を個別に実行するステップ（１０２）と；
前記トランスタイムゾーンサイトによって提出された前記変更されたターゲットデータにおいて、前記ターゲットデータの最新バージョンを特定するために、前記トランスタイムゾーンサイトによって提出され前記タイムゾーン変換後に取得されたタイムスタンプに基づいて、前記トランスタイムゾーンサイトによって提出された前記ターゲットデータに対してデータバージョン比較を実行するステップ（１０３）と；を備える、
トランスタイムゾーンサイト間のデータバージョン比較のための方法。
【請求項２】
前記セントラルサイトのタイムゾーンに基づいて、前記トランスタイムゾーンサイトによって前記タイムスタンプが生成される場合、前記トランスタイムゾーンサイトによって提出された前記タイムスタンプに基づいて、前記トランスタイムゾーンサイトによって提出された前記ターゲットデータに対して前記データバージョン比較を実行するステップ；を更に備える、
請求項１に記載のデータバージョン比較のための方法。
【請求項３】
セントラルサイトのタイムゾーンに基づいて、前記トランスタイムゾーンサイトによって提出された前記タイムスタンプに対してタイムゾーン変換を個別に実行する前記ステップは：
前記トランスタイムゾーンサイトのタイムゾーンを照会するステップと；
各トランスタイムゾーンサイトのタイムゾーンとセントラルサイトのタイムゾーンとの間の変換関係に基づいて、前記トランスタイムゾーンサイトによって提出された前記タイムスタンプに対してタイムゾーン変換を個別に実行するステップと；を備える、
請求項２に記載のデータバージョン比較のための方法。
【請求項４】
前記トランスタイムゾーンサイトによって提出された前記タイムスタンプに基づいて、前記トランスタイムゾーンサイトによって提出された前記ターゲットデータに対して前記データバージョン比較を実行する前記ステップは：
前記トランスタイムゾーンサイトによって提出された前記タイムスタンプの値を比較するステップと；
トランスタイムゾーンサイトによって提出された、最大のタイムスタンプ値を持つターゲットデータが最新バージョンのターゲットデータである、と特定するステップと；を備える、
請求項１又は請求項２に記載のデータバージョン比較のための方法。
【請求項５】
前記タイムスタンプの値は、時間単位に対応する、
請求項４に記載のデータバージョン比較のための方法。
【請求項６】
前記トランスタイムゾーンサイトによって提出された前記ターゲットデータの最新バージョンのターゲットデータが特定されるとき、前記最新バージョンのターゲットデータを用いてローカルに記憶されたオリジナルのターゲットデータを更新するステップ；を更に備える、
請求項１に記載のデータバージョン比較のための方法。
【請求項７】
前記トランスタイムゾーンサイトは、運用サービスを実行するように構成され、相互に異なるタイムゾーンに位置する、
請求項１から６のいずれか１項に記載のデータバージョン比較のための方法。
【請求項８】
前記運用サービスは、決済サービスを含む、
請求項７に記載のデータバージョン比較のための方法。
【請求項９】
前記運用サービスは、データの変更許可を含む、
請求項７に記載のデータバージョン比較のための方法。
【請求項１０】
請求項１〜９のいずれか１項に記載の方法を実行するように構成された、複数のモジュールを備える、
トランスタイムゾーンサイト間のデータバージョン比較のためのデバイス。
【手続補正２】
【補正対象書類名】明細書
【補正対象項目名】００７８
【補正方法】変更
【補正の内容】
【００７８】
前述の説明は、本願の単なる例示的な実施であり、本願を限定することを意図するものではない。本願の精神及び原理から逸脱することなくなされたいかなる修正、均等物の置換、又は改良も本願の保護範囲内に入るものである。
［第１の局面］
トランスタイムゾーンサイトが同一のターゲットデータを変更するときに生成されるタイムスタンプと、変更された前記ターゲットデータとを受信するステップと；
前記トランスタイムゾーンサイトのそれぞれのタイムゾーンに基づいて前記トランスタイムゾーンサイトによって前記タイムスタンプが生成される場合、セントラルサイトのタイムゾーンに基づいて、前記トランスタイムゾーンサイトによって提出された前記タイムスタンプに対してタイムゾーン変換を個別に実行するステップと；
前記トランスタイムゾーンサイトによって提出され前記タイムゾーン変換後に取得されたタイムスタンプに基づいて、前記トランスタイムゾーンサイトによって提出された前記ターゲットデータの最新バージョンのターゲットデータを特定するために、前記トランスタイムゾーンサイトによって提出された前記ターゲットデータに対してデータバージョン比較を実行するステップと；を備える、
トランスタイムゾーンサイト間のデータバージョン比較のための方法。
［第２の局面］
前記セントラルサイトの前記タイムゾーンに基づいて、前記トランスタイムゾーンサイトによって前記タイムスタンプが生成される場合、前記トランスタイムゾーンサイトによって提出された前記タイムスタンプに基づいて、前記トランスタイムゾーンサイトによって提出された前記ターゲットデータに対して前記データバージョン比較を実行するステップを更に備える、
第１の局面に記載のデータバージョン比較のための方法。
［第３の局面］
前記セントラルサイトの前記タイムゾーンに基づいて、前記トランスタイムゾーンサイトによって提出された前記タイムスタンプに対して前記タイムゾーン変換を個別に実行する前記ステップは：
前記トランスタイムゾーンサイトの前記タイムゾーンを照会するステップと；
各トランスタイムゾーンサイトのタイムゾーンと前記セントラルサイトの前記タイムゾーンとの間の変換関係に基づいて、前記トランスタイムゾーンサイトによって提出された前記タイムスタンプに対して前記タイムゾーン変換を個別に実行するステップと；を備える、
第２の局面に記載のデータバージョン比較のための方法。
［第４の局面］
前記トランスタイムゾーンサイトによって提出された前記タイムスタンプに基づいて、前記トランスタイムゾーンサイトによって提出された前記ターゲットデータに対して前記データバージョン比較を実行する前記ステップは：
前記トランスタイムゾーンのサイトによって提出された前記タイムスタンプの値を比較するステップと；
前記トランスタイムゾーンサイトによって提出された、最大のタイムスタンプ値を持つターゲットデータが最新バージョンの前記ターゲットデータである、と特定するステップと；を備える、
第１の局面又は第２の局面に記載のデータバージョン比較のための方法。
［第５の局面］
前記トランスタイムゾーンサイトによって提出された前記ターゲットデータの最新バージョンのターゲットデータが特定されるとき、前記最新バージョンの前記ターゲットデータを用いてローカルに記憶された元のターゲットデータを更新するステップを更に備える、
第１の局面に記載のデータバージョン比較のための方法。
［第６の局面］
トランスタイムゾーンサイトが同一のターゲットデータを変更するときに生成されるタイムスタンプと、変更された前記ターゲットデータとを受信するよう構成された受信モジュールと；
前記トランスタイムゾーンサイトのそれぞれのタイムゾーンに基づいて前記トランスタイムゾーンサイトによって前記タイムスタンプが生成される場合、セントラルサイトのタイムゾーンに基づいて、前記トランスタイムゾーンサイトによって提出された前記タイムスタンプに対してタイムゾーン変換を個別に実行するよう構成された変換モジュールと；
前記トランスタイムゾーンサイトによって提出され前記タイムゾーン変換後に取得されたタイムスタンプに基づいて、前記トランスタイムゾーンサイトによって提出された前記ターゲットデータの最新バージョンのターゲットデータを特定するために、前記トランスタイムゾーンサイトによって提出された前記ターゲットデータに対してデータバージョン比較を実行するように構成された比較モジュールと；を備える、
トランスタイムゾーンサイト間のデータバージョン比較のためのデバイス。
［第７の局面］
前記比較モジュールは：
前記セントラルサイトの前記タイムゾーンに基づいて、前記トランスタイムゾーンサイトによって前記タイムスタンプが生成される場合、前記トランスタイムゾーンサイトによって提出された前記タイムスタンプに基づいて、前記トランスタイムゾーンサイトによって提出された前記ターゲットデータに対して前記データバージョン比較を実行するよう更に構成される、
第６の局面に記載のデータバージョン比較のためのデバイス。
［第８の局面］
前記変換モジュールは：
前記トランスタイムゾーンサイトの前記タイムゾーンを照会するよう；及び
各トランスタイムゾーンサイトのタイムゾーンとセントラルサイトのタイムゾーンとの間の変換関係に基づいて、前記トランスタイムゾーンサイトによって提出された前記タイムスタンプに対して前記タイムゾーン変換を個別に実行するよう；構成される、
第７の局面に記載のデータバージョン比較のためのデバイス。
［第９の局面］
前記比較モジュールは：
前記トランスタイムゾーンサイトによって提出された前記タイムスタンプの値を比較するよう；及び
トランスタイムゾーンサイトによって提出された最大のタイムスタンプ値を持つターゲットデータが、前記最新バージョンの前記ターゲットデータである、と特定するよう；構成される、
第６の局面又は第７の局面に記載のデータバージョン比較のためのデバイス。
［第１０の局面］
前記トランスタイムゾーンサイトによって提出された前記ターゲットデータの、最新バージョンの前記ターゲットデータが特定されると、前記最新バージョンの前記ターゲットデータを用いてローカルに記憶された元のターゲットデータを更新するよう構成された更新モジュールを更に備える、
第６の局面に記載のデータバージョン比較のためのデバイス。